(57)【特許請求の範囲】
【請求項１】
並列に帯状に揃えた所定の長さの多数本のブリストルを、一対の金属製芯線材で挟持して螺旋状に捻ることで、一対の芯線材で構成した直線状の芯線部と、前記芯線材の捻り合わせ部から放射状に分散して、螺旋状に連続するブリストルで構成された略円柱状の塗布部とを備えた本加工前化粧用ブラシを成形する成形工程と、
前記塗布部を構成するブリストルの先端を切り揃えて、前記塗布部の外形を整えるトリミング工程と、
前記塗布部を構成するブリストルの先端部を研磨して所定の形状に加工する研磨工程と、
を備えた化粧用ブラシの製造方法において、
前記研磨工程は、
円盤型砥石の平坦な研磨面に対し、前記本加工前化粧用ブラシの芯線部が砥石の半径方向と直交するように保持するとともに、
前記本加工前化粧用ブラシをその中心軸回りに回転させつつ、回転する前記円盤型砥石の研磨面に前記本加工前化粧用ブラシの塗布部側面を相対的に押し付けて、ブリストルの先端部を研磨しつつ屈曲させる、
ことを特徴とする化粧用ブラシ製造方法。
【請求項２】
前記トリミング工程では、前記塗布部の外形を略円錐台形状又は略逆円錐台形状に整え、
前記研磨工程では、前記本加工前化粧用ブラシをその中心軸回りに回転させつつ、その塗布部の円錐台又は逆円錐台稜線が、回転する前記円盤型砥石の研磨面と平行となるように傾け、その研磨面にその塗布部側面を相対的に押し付ける、
ことを特徴とする請求項１に記載の化粧用ブラシ製造方法。
【発明の詳細な説明】
【技術分野】
【０００１】
本発明は、マスカラ等の液体化粧料の塗布に用いられる化粧用ブラシ及びその製造方法に関する。
【背景技術】
【０００２】
図２４に示すように、マスカラ等の液体化粧料の塗布に用いられる化粧用ブラシ１０１は、通常、折り返した一対の芯線材１０２ａの間に多数のブリストル１０６を挟み、芯線材１０２ａを捻ることで製造される。即ち、化粧用ブラシ１０１は、捻られた芯線材１０２ａ（以下、芯線部１０２という）の捻り合わせ部から、ブリストル１０６が芯線部１０２の周方向に放射状に延出し、芯線部１０２の軸方向に螺旋状に均一に分散する、全体が略円柱形状に形成された塗布部１０４を備えている。【０００３】
塗布部１０４の外周を所望の輪郭に形成するため、ブリストル１０６を挟み捻った後に、せん断加工にてブリストル先端を整えるのが一般的である（特許第５１００９８５号）。【０００４】
しかし、せん断加工したままの状態では、切断面であるブリストル先端部は、綺麗に切り揃えられておらず、割れが発生したり、バリが形成されたりすることも多い。このため、マスカラ液をまつげにうまく塗布することができず、ブリストル先端部がこのままの状態で使用されることは好ましくない。そこで、ブリストル先端部を、熱加工して球状にする方法・装置（特公平６−５１０１０）や、機械的加工で丸くする装置（特開平８−２２４１２７）が提案されている。
【先行技術文献】
【特許文献】
【０００５】
【特許文献１】特許第５１００９８５号公報
【特許文献２】特公平６−５１０１０号公報
【特許文献３】特開平８−２２４１２７号公報
【発明の概要】
【発明が解決しようとする課題】
【０００６】
しかし、前記特許文献２において開示されている加工では、ブリストル先端部が、ブリストル径以上の径をもつ球状に膨らむため、細いまつげ間に十分にブリストルが入り込むまず、まつげを絡めとることができない。逆に前記特許文献３において開示されている加工では、ブリストル先端部が丸くなるため、ブリストルがまつげに入り込みやすくなるが、ロールアップする際にはまつげにひっかからず、マスカラ液をうまく塗布できない。【０００７】
このため、本発明は、ブリストルが細いまつげの間に入り込みやすく、かつロールアップする際にはブリストルがまつげにひっかかりやすいという相反する要望を満足させた化粧用ブラシを提供することを目的とする。
【課題を解決するための手段】
【０００８】
上記問題を解決するため、請求項１として、螺旋状に捻り合わせた一対の金属製の芯線材で構成した直線状の芯線部と、前記芯線材の捻り合わせ部に挟持されて放射状に分散する多数本のブリストルが、軸方向に螺旋状に連続する、略円柱形状の塗布部を備え、その塗布部を構成するブリストルの先端部が、その芯線部の軸方向前方又は後方に一律に所定角度で屈曲するとともに、先端に向けて細く形成された化粧用ブラシを提供する。【０００９】
（作用）第１の作用として、ブリストルの先端部が、先端に向けて細くなっており、さらに一律にほぼ同一方向にほぼ同一角度で屈曲しているため、ブリストルが細いまつげの間に入り込みやすくなる。【００１０】
第２の作用として、ブリストル先端部が芯線部の軸方向前方又は後方に屈曲しているので、ロールアップした際に、屈曲内側部分にまつげが引っ掛かりやすくなる。さらに、ブリストル先端が細いため、まつ毛に塗布されたマスカラ液等が、綺麗に伸びる。【００１１】
また、請求項２として、ブリストルの屈曲した先端部は、屈曲部とは逆方向の側面に研磨面が設けられて、先端に向けて細く形成されたことを特徴とする請求項１に記載の化粧用ブラシを提供する。【００１２】
（作用）ブリストルの先端部に、屈曲方向と同方向の側面に研磨面が設けられた場合や、両側面に研磨面が設けられた場合と比較して、ブリストルの屈曲角度を大きく保ち、まつげを絡めとりやすくしている。【００１３】
さらに、請求項３として、前記塗布部が、円錐台形状若しくは逆円錐台形状又は円柱形状であって、その塗布部を構成するブリストル全体の先端部が、屈曲するとともに、先端に向けて細く形成された、ことを特徴とする請求項１又は２に記載の化粧用ブラシを提供する。【００１４】
（作用）塗布部を構成するブリストル全体の先端が屈曲し、かつ先端に向けて細く形成されているため、使用範囲が広く、使い勝手が良い。【００１５】
さらに、請求項４として、前記塗布部の先端側に、縮径部が設けられ、前記縮径部を除く塗布部領域を構成するブリストル全体の先端部が、屈曲するとともに、先端に向けて細く形成されたことを特徴とする請求項１又は請求項２に記載の化粧用ブラシを提供する。【００１６】
（作用）塗布部後端側の加工されたブリストルで、まつ毛にマスカラ液等を塗布し、加工されていない塗布部先端のブリストルで、コームのようにまつ毛を整える事ができる。【００１７】
さらに、請求項５として、並列に帯状に揃えた所定の長さの多数本のブリストルを、一対の金属製芯線材で挟持して螺旋状に捻ることで、一対の芯線材で構成した直線状の芯線部と、前記芯線材の捻り合わせ部から放射状に分散して、螺旋状に連続するブリストルで構成された略円柱状の塗布部とを備えた本加工前化粧用ブラシを成形する成形工程と、前記塗布部を構成するブリストルの先端を切り揃えて、前記塗布部の外形を整えるトリミング工程と、前記塗布部を構成するブリストルの先端部を研磨して所定の形状に加工する研磨工程と、を備えた化粧用ブラシの製造方法において、前記研磨工程は、円盤型砥石の平坦な研磨面に対し、前記本加工前化粧用ブラシの芯線部が砥石の半径方向と直交するように保持するとともに、前記本加工前化粧用ブラシをその中心軸回りに回転させつつ、回転する前記円盤型砥石の研磨面に前記本加工前化粧用ブラシの塗布部側面を相対的に押し付けて、ブリストルの先端部を研磨しつつ屈曲させることを特徴とする化粧用ブラシ製造方法を提供する。【００１８】
（作用）回転する円盤型砥石にブリストル先端部が押し圧されることで、ブリストル先端部は、研磨されて細くなる。同時に、ブリストル先端部は、摩擦熱（研磨熱）で融点近くまで加熱された部位において、円盤型砥石の回転方向に屈曲する。詳しくは、本加工前化粧用ブラシの芯線部と円盤型砥石の半径方向が直交しているため、砥石の回転方向と芯線部軸方向がおおよそ平行であるから、ブリストル先端が研磨面から力を受け、芯線部と平行の前方又は後方へ、一律にほぼ同方向へと屈曲する。円盤型砥石に研磨されるブリストルは、研磨面と接触する塗布部の周方向所定位置のブリストル先端だけであるが、本加工前化粧用ブラシ自体が回転しているため、研磨面と接触するブリストルは次々移動し、化粧用ブラシや円盤型砥石を移動させることなく、ブリストル全体の先端に一律に加工を施すことができる。即ち、一つの加工工程で、塗布部を構成するブリストル先端部全体の研磨と屈曲を同時に行うことができる。【００１９】
また、請求項６として、前記トリミング工程では、前記塗布部の外形を略円錐台形状又は略逆円錐台形状に整え、前記研磨工程では、前記本加工前化粧用ブラシをその中心軸回りに回転させつつ、その塗布部の円錐台又は逆円錐台稜線が、回転する前記円盤型砥石の研磨面と平行となるように傾け、その研磨面にその塗布部側面を相対的に押し付ける、ことを特徴とする請求項５に記載の化粧用ブラシ製造方法を提供する。【００２０】
（作用）傾斜面をもつ円錐台形状又は逆円錐台形状の塗布部にも同様の加工をすることができる。
【発明の効果】
【００２１】
本発明の化粧用ブラシによれば、第１には、ブリストルがまつげ一本一本の間に入りやすく、塗布部がまつげを絡めとりやすい分、キャッチアップ感が向上する。第２には、ロールアップの際に、ブリストルの屈曲内側部分にまつげがひっかかり、まつげ先端にまでマスカラ液を十分塗布することができる分、ロールアップの際の使用感が向上する。マスカラ液は綺麗に伸びるため、ダマ付きや束付き等を防ぐ効果もある。【００２２】
また、本発明の製造方法によれば、安価で容易に、芯線部の軸方向前方又は後方に一律に所定角度で屈曲するとともに、先端に向けて細く形成されたブリストルで構成された塗布部を持つ化粧用ブラシを製造することができる。
【図面の簡単な説明】
【００２３】
【図１】本発明の第１の実施形態に係る化粧用ブラシの概略図
【図２】同ブラシのブリストル先端拡大図
【図３】比較用の化粧用ブラシのブリストル先端拡大図
【図４】比較用の化粧用ブラシのブリストル先端拡大図
【図５】本発明の第２の実施形態に係る化粧用ブラシの概略図
【図６】本発明の第３の実施形態に係る化粧用ブラシの概略図
【図７】変形例の化粧用ブラシの概略図
【図８】変形例の化粧用ブラシの概略図
【図９】変形例の化粧用ブラシの概略図
【図１０】化粧用ブラシの製造の工程を説明する説明図
【図１１】本加工前化粧用ブラシの概略図
【図１２】ブリストル先端部加工を説明するための円盤型砥石の平面図
【図１３】ブリストル先端部加工を説明するための円盤型砥石の正面図
【図１４】研磨・屈曲後のブリストル先端拡大図
【図１５】本加工前化粧用ブラシの保持位置の説明図
【図１６】本加工前化粧用ブラシの概略図
【図１７】本加工前化粧用ブラシの概略図
【図１８】本加工前化粧用ブラシの概略図
【図１９】本加工前化粧用ブラシの概略図
【図２０】ブリストル先端部加工を説明するための円盤型砥石の平面図
【図２１】ブリストル先端部加工を説明するための円盤型砥石の正面図
【図２２】本加工前化粧用ブラシの概略図
【図２３】本加工前化粧用ブラシの保持位置の説明図
【図２４】従来の化粧用ブラシ正面図
【発明を実施するための形態】
【００２４】
以下、本発明の実施の形態を実施例に基づいて説明する。
【００２５】
図１は、本発明の第１の実施形態に係る化粧用ブラシの概略図である。
【００２６】
従来の化粧用ブラシ１０１と同様、本発明の第１の実施形態に係る化粧用ブラシ１は、捻られた芯線材２ａ（以下、芯線部２という）の捻り合わせ部から、芯線部２に挟持されたブリストル６が、芯線部２の周方向に均等に放射状に延出し、芯線部２の軸方向に螺旋状に均一に分散する、全体が略円柱形状に形成された塗布部４を備える。
【００２７】
塗布部４を構成するブリストル６の先端にあるブリストル屈曲先端部８ａが、先端に向けて細くなり、かつ屈曲している点が特徴である。屈曲する方向は、芯線部２の軸方向の前方又は後方であって、ブリストル屈曲先端部８ａが一律ほぼ同方向にほぼ同角度で屈曲している。一律同方向であれば、前方であるか後方であるかを問わない。
【００２８】
＜本実施形態の効果＞
第１の実施形態の効果を説明する。
【００２９】
図２は、化粧用ブラシ１のブリストル６の拡大図である。図３は、比較のための、本形態特徴であるブリストル屈曲先端部８ａを持たない、先端まで同一太さで、かつ屈曲していない、ブリストル６ｂの拡大図である。
【００３０】
図２及び図３に示すように、ブリストル６ｂの先端部間距離Ｄｂに比べ、ブリストル６の先端部間距離Ｄの方が大きくなっていること、また先端が先に向けて細くなっていることから、まつげがブリストル間に入りこみやすく、多くのまつげを絡みとることができる。これによりキャッチアップ感が向上する。
【００３１】
さらに、屈曲方向が芯線部２の軸とほぼ平行であるため、化粧用ブラシをロールアップする際には、まつげが屈曲部内部１１に引っかかり、まつげの先端にまで十分にマスカラ液を塗布することができる。詳しくは、ブリストル屈曲先端部８ａの軸方向オフセット量Ｋの分だけ、ブリストル間距離は短くなり、その狭くなる分だけブリストル間に入り込んだまつげは出にくくなり、さらにブリストル間から出ようとしたまつげが屈曲部内部１１に引っかかる。これにより、まつげをブリストル間にキープすることができ、まつげの先端にまでマスカラ液を塗布することができ、ロールアップ感が向上する。
【００３２】
上記のように、まつげの間にブリストルが入り込みやすく出にくい形状により、使用感を向上させることができる。
【００３３】
また、ローブアップの際にまつげを屈曲部内部１１に保持できるため、まつげを上げるビューラーとしての効果も期待できる。ブリストルの先端が細いことで、まつ毛に塗布されたマスカラ液等が、綺麗に伸びる。まつ毛に塗布されたマスカラ液等が綺麗に伸び、ダマ付き、束付きなどを防ぐ効果がある。
【００３４】
化粧用ブラシ１は、芯線部２の後端に柄が取り付けられ、塗布具として、マスカラ等の液体化粧料の収納された容器と組み合わせて、使用される。
【００３５】
ブリストル屈曲先端部８ａの屈曲角度は、まっすぐな状態を屈曲角度０度として、屈曲角度が低すぎると、まつ毛への引っ掛かりが弱く、屈曲角度が高すぎると、まつ毛へ入り込みにくい。バランス良く効果を得るため、屈曲角度は２５度〜３５度が特に好ましい。
【００３６】
さらに、本形態のブリストル屈曲先端部８ａについて詳しく説明する。
【００３７】
図４は、本形態の効果を説明するためのブリストル拡大図である。
【００３８】
図４に示すように、本形態のブリストル６のブリストル屈曲先端部８ａは、屈曲方向と逆方向の側面に研磨面１０が設けられ、先端に向けて細く形成されている。
【００３９】
符号６は、本形態のブリストル６であり、符号６ｃ及び６ｄは、比較のための、屈曲方向と同方向の側面に研磨面１０が設けられたブリストル６ｃと、両側面に研磨面が設けられたブリストル６ｄである。
【００４０】
本形態のブリストル６は、ブリストル６ｃやブリストル６ｄと比較して、屈曲角度を大きく保ち、まつげを絡めとりやすくしている。これによりキャッチアップ感を高く保つことが出来る。
【００４１】
次に、本発明の第２の実施形態を、図５を参照しながら説明する。
【００４２】
図５は、第２の実施形態に係る化粧用ブラシ１４の概略図である。
【００４３】
図５に示すように、化粧用ブラシ１４の塗布部４は円錐台形状である。前記実施形態と同様に、塗布部を構成するブリストル６全体のブリストル屈曲先端部８ａが、屈曲するとともに、先端に向けて細く形成されているのが特徴である。
【００４４】
＜本実施形態の効果＞
第２の実施形態に係る化粧用ブラシの効果を説明する。
【００４５】
塗布部を構成するブリストル全体の先端が屈曲し、かつ先端に向けて細く形成されているため、使用範囲が広く、使い勝手が良く、使用感が向上する。
【００４６】
本形態では塗布部４は円錐台であったが、逆円錐台形状又は円柱形状であっても良い。
【００４７】
さらに、本発明の第３の実施形態について、図６を参照しながら説明する。
【００４８】
図６は、本発明の第３の実施形態である化粧用ブラシ１５概略図である。
【００４９】
図６に示すように、化粧用ブラシ１５は、塗布部４の先端に縮径部２１が設けられているのが特徴である。塗布部４は、縮径部２１と基端部２０から構成される。基端部２０を構成するブリストル６の先端にあるブリストル屈曲先端部８ａが、先端に向けて細くなり、かつ屈曲している点は前記実施形態と同様である。縮径部２１の径は、基端部２０の径よりも小さく、縮径部を構成するブリストル６のブリストル先端部８は、先端まで同一の太さで、先端までまっすぐである。
【００５０】
縮径部２１は、先端に向けて縮径している。塗布部４は、縮径する縮径部２１と円柱形状の基端部２０で構成される、弾丸形状である。
【００５１】
＜本実施形態の効果＞
第３の実施形態に係る化粧用ブラシの効果を説明する。
【００５２】
基端部２０のブリストルで、前記実施形態の化粧用ブラシと同様にまつ毛にマスカラ液等を塗布し、縮径部２１の先端までまっすぐなブリストルで、コームのようにまつ毛を整える事ができる。多機能であり、使い勝手が向上する。
【００５３】
第３の実施形態に係る化粧用ブラシの変形例を説明する。
【００５４】
図７〜図９は、変形例の化粧用ブラシの概略図であり、符号１６〜１８は、変形例の化粧用ブラシである。
【００５５】
図７〜図９に示すように、塗布部４の縮径部２１の径は、基端部２０の径よりも小さければよい。図７に示す化粧用ブラシ１６のように、縮径部２１の形状は基端部２０よりも径が小さい円柱形状でもよい。また、図８に示す化粧用ブラシ１７のように、縮径部２１の形状は、円錐台形状でもよい。また、図９に示す化粧用ブラシ１８のように、基端部の形状が円錐台形状でもよい。さらに、図示していないが、縮径部が二段の段差をもつ形状や、基端部の形状が円錐台形状又は逆円錐台形状で、先端部の形状が先端に向けて縮径していく形状でもよい。基端部が逆円錐台形状の場合、縮径部の径は、逆円錐台の上面の径よりも小さければよい。
【００５６】
上記のような、ブリストル形状をもつ化粧用ブラシ製造方法の好適な一形態を説明する。
【００５７】
図１０は製造工程を説明する説明図であり、図１１は本加工前化粧用ブラシ１ａの概略図である。図１２は、ブリストル先端部８の加工を説明するための、回転する円盤型砥石３０の平面図、図１３は図１２を正面から見た拡大図である。図１４は、研磨・屈曲後のブリストル６の先端拡大図である。
【００５８】
図１０及び図１１に示すように、ブリストル６を同じ長さにカットし、これを一対の芯線材２ａの間に挟み、芯線材２ａを捻り、ブリストル６を固定して、芯線部２と塗布部４を成形する。その後、塗布部４を略円柱形となるよう、ブリストル先端部８をせん断加工する。ここまでは、従来の方法と同じである。これにより本加工前化粧用ブラシ１ａができあがる。
【００５９】
次いで、この本加工前化粧用ブラシ１ａのブリストル先端部８を、回転する円盤型砥石３０で加工する。
【００６０】
図１２及び図１３に示すように、円盤型砥石３０の回転軸Ｙは、本加工前化粧用ブラシ１ａの芯線部２の軸方向と平面視直交する。
【００６１】
図１３に示すように、本加工前化粧用ブラシ１ａを、その芯線部２の軸方向と円盤型砥石３０の半径方向Ｒに直交（円盤型砥石３０の接線方向に平行）に保持する。
【００６２】
本加工前化粧用ブラシ１ａをその中心軸Ｘ回りに回転させつつ、平坦な砥石の研磨面３１に塗布部４を相対的に押し付ける。中心軸Ｘは芯線部２の軸方向と一致する。砥石の研磨面３１と接触する塗布部４、即ちブリストル先端部８は、押し圧されることで、研磨されて細くなる。同時にブリストル先端部８は、摩擦熱（研磨熱）で融点近くまで加熱され、そこへ研磨面３１からの力をうけて、ブリストル先端部８は円盤型砥石３０の回転方向に屈曲する。こうしてブリストル屈曲先端部８ａが形成される。
【００６３】
本加工前化粧用ブラシ１ａの芯線部２の軸方向と円盤型砥石３０の半径方向Ｒが直交（円盤型砥石３０の接線方向と平行）であり、芯線部２の軸方向と力の向きはおおよそ平行で、ブリストル先端部８は、芯線部２の軸方向前方又は後方へ、一律にほぼ同方向へと屈曲する。このとき、円盤型砥石３０の回転方向は、左回転か右回転か問わないが、どちらか一方のみとする。即ち、ブリストル屈曲先端部８ａの屈曲方向は、芯線部２の軸方向の前方であるか後方であるかを問わないが、一律同方向とする。
【００６４】
図１４に示すように、ブリストル６のブリストル先端部８は、円盤型砥石３０により、芯線部２の軸方向の前方又は後方のいずれか一方の側面の研磨部９が研磨され先細りとなり、研磨面１０が形成される。同時にブリストル先端部８は、研磨面１０とは逆方向に屈曲し、ブリストル屈曲先端部８ａが形成される。例えば研磨面１０が芯線部２の軸方向前方である場合は、ブリストル屈曲先端部８ａは芯線部２の軸方向後方に屈曲している。ブリストル屈曲先端部８ａは、先端にいく程細くなる。
【００６５】
円盤型砥石３０に研磨されるブリストル６は、研磨面３１と接触する塗布部４の周方向所定位置のブリストル６だけであるが、本加工前化粧用ブラシ１ａ自体が中心軸Ｘ回りに回転しているため、研磨面３１と接触するブリストルは次々移動し、本加工前化粧用ブラシ１ａや円盤型砥石３０を移動させることなく、一工程で研磨面３１に接触する塗布部４の側面、即ちブリストル先端部８に対して、一律に加工することができる。
【００６６】
本加工前化粧用ブラシ１ａの中心軸Ｘ回りの回転は、加工部分移動のためであり、軸回りに右方向に回転であるか左回転であるかを問わない。右回転後に左回転させても構わない。本加工前化粧用ブラシ１ａの回転を円盤型砥石３０の回転よりも十分遅くすることで、この回転による円周方向の屈曲、研磨への影響は微小になり、ブリストル屈曲先端部８ａは、ほぼ円盤型砥石３０の回転によって芯線部２の軸方向に研磨、屈曲され形成される。
【００６７】
図１５は、本加工前化粧用ブラシ１ａの保持位置の例を示す。図１５に示すように、本加工前化粧用ブラシ１ａを保持する位置は、その芯線部２の軸方向が円盤型砥石３０の半径方向Ｒに直交（円盤型砥石３０の接線方向に平行）であれば、円盤型砥石３０の研磨面３１のどこであっても良い。複数本を円盤型砥石の円周方向に等間隔に保持して加工することや（図１６では例として四本を四方に配置）、複数本を半径方向Ｒに平行に並べて同時に加工することも可能である。円盤型砥石３０の半径が大きく、外縁に近いとほど全体の屈曲方向をより同一方向にできる。
【００６８】
＜本実施形態の効果＞
本実施形態の化粧用ブラシ製造方法の効果を説明する。
【００６９】
一工程で、塗布部４を構成するブリストル先端部８に研磨及び屈曲の加工を同時に行うことができ、工程が少なく、短い加工時間ですむ。効率的に安価で容易に先端部が研磨され屈曲した化粧用ブラシを製造することができる。
【００７０】
以下に、好適な変形例を示す。
【００７１】
図１６〜図１８は変形例の概略図である。１５ａ〜１７ａは、本加工前化粧用ブラシである。
【００７２】
前述の実施形態と同様に、塗布部４を成形する。この際、図１６に示すように、塗布部４を弾丸形状に、せん断加工する。塗布部４は、縮径する縮径部２１と円柱形状の基端部２０で構成され、縮径部２１の径は基端部２０ａの径より小さく、縮径部２１は、先端に向けて縮径している。
【００７３】
これにより縮径部２１を備える本加工前化粧用ブラシ１５ａができあがる。
【００７４】
この塗布部４を円盤型砥石３０の研磨面３１に相対的に押し付ける。縮径部２１の径は、基端部２０ａの径よりも小さいため、研磨面３１に縮径部２１は接触しない。このため、縮径部をのぞく、基端部２０ａのブリストル６のみ屈曲・研磨の加工をされ、ブリストル屈曲先端部８ａが形成される。
【００７５】
縮径部２１の形状は、基端部２０ａの径よりも小さければよい。図１７及び図１８に示すように、縮径部２１がそれぞれ円柱形状や円錐台形状であってもよい。上記のように、縮径部２１を備える塗布部４の基端部２０ａにも同様の加工を施すことができる。加工の施されない縮径部２１は、コームとしての役割を果たす。
【００７６】
製造方法の別の実施形態を、図１９〜図２１を参照しながら説明する。
【００７７】
図１９は本形態の本加工前化粧用ブラシ１４ａの概略図であり、図２０本形態のブリストル先端部８の加工を説明するための、回転する円盤型砥石３０の平面図、図２１は図２０を正面から見た拡大図である。図２３は本加工前化粧用ブラシ保持位置の説明図である。図２３は、本加工前化粧用ブラシの概略図である。
【００７８】
前述の実施形態と同様に、ブリストル６と芯線材２ａから塗布部４を成形する。その後、図１９に示すように、塗布部４が略円錐台形状となるようにせん断加工する。これにより略円錐台形状の塗布部４を備える本加工前化粧用ブラシ１４ａができあがる。塗布部４の略円錐台の傾斜角度をαとする。
【００７９】
次いで、この本加工前化粧用ブラシ１４ａのブリストル先端部８を、回転する円盤型砥石３０で加工する。
【００８０】
前述の実施形態と同様、図２０に示すように、本加工前化粧用ブラシ１４ａを、その芯線部２の軸方向と円盤型砥石３０の半径方向Ｒに直交（円盤型砥石３０の接線方向に平行）に保持する。
【００８１】
図２１に示すように、本加工前化粧用ブラシ１４ａを、その塗布部４の円錐台稜線が、回転する前記円盤型砥石３０の研磨面３１と平行となるように、傾斜角度αだけ傾ける。
【００８２】
本加工前化粧用ブラシ１４ａをその中心軸Ｘ回りに回転させつつ、平坦な砥石の研磨面３１に塗布部４を相対的に押し付ける。砥石の研磨面３１と接触する塗布部４、即ちブリストル先端部８は、押し圧されることで、研磨されて細くなる。
【００８３】
このように、傾斜面をもつ円錐台形状の塗布部４のブリストル先端部８にも、前記実施形態と同様の加工をすることができる。
【００８４】
本加工前化粧用ブラシ１９ａの保持位置は、円盤型砥石３０の半径方向Ｒに直行であればよく、図２３に示すように、円周方向に複数配置や、複数本並列してもよい。
【００８５】
また、図２２に示すように、縮径部２１を備える本加工前化粧用ブラシ１８ａにも同様の加工を施すことができる。この場合、基端部２０ａのみブリストル屈曲先端部８ａが形成される。
【００８６】
＜本実施形態の効果＞
塗布部４が傾斜角度αをもつ略円錐台形状の塗布部４にも、前記同様の屈曲、研磨の加工を施すことができ、同様の加工ができる塗布部の形状のバリエーションが増える。
【００８７】
本実施形態では略円錐台形状の塗布部４についての加工であったが、略逆円錐台形状の塗布部４についても同様の加工をすることが可能である。縮径部２１をもち、基端部２０ａが逆円錐台形状である塗布部４についても、同様の加工が可能である。この場合、逆円錐台形状の基端部２０ａの上面の径よりも縮径部２１の径が小さければよい。
【００８８】
以上、本発明の実施形態および変形例を述べたが、各形態および各変形例を当業者の知識に基づいて組み合わせることも可能であり、そのような形態は本発明の範囲に含まれる。
【符号の説明】
【００８９】
１  化粧用ブラシ
１ａ  本加工前化粧用ブラシ
２  芯線部
２ａ  芯線材
４  塗布部
６  ブリストル
６ｂ  （比較用）ブリストル
６ｃ  （比較用）ブリストル
６ｄ  （比較用）ブリストル
８  ブリストル先端部
８ａ  ブリストル屈曲先端部
９  （ブリストルの）研磨部
１０  （ブリストルの）研磨面
１１  （ブリストル）屈曲部内部
１４  化粧用ブラシ
１４ａ  本加工前化粧用ブラシ
１５  化粧用ブラシ
１５ａ  本加工前化粧用ブラシ
１６  化粧用ブラシ
１６ａ  本加工前化粧用ブラシ
１７  化粧用ブラシ
１７ａ  本加工前化粧用ブラシ
１８  化粧用ブラシ
１８ａ  本加工前化粧用ブラシ
２０  基端部
２０ａ  （本加工前化粧用ブラシの）基端部
２１  縮径部
３０  円盤型砥石
３１  （円盤型砥石の）研磨面
１０１  従来の化粧用ブラシ
１０２  芯線部
１０２ａ  芯線材
１０４  塗布部
１０６  ブリストル
Ｄｂ  ブリストル先端部間距離
Ｄ  ブリストル先端部間距離
Ｋ  屈曲部の突き出し量（オフセット量）
Ｒ  （円盤型砥石の）半径方向
Ｘ  本加工前化粧用ブラシの中心軸
Ｙ  円盤型砥石の回転軸
α  円錐台形状の塗布部の傾斜角度
【図１】
0006791847.tif 000002
【図２】
0006791847.tif 000003
【図３】
0006791847.tif 000004
【図４】
0006791847.tif 000005
【図５】
0006791847.tif 000006
【図６】
0006791847.tif 000007
【図７】
0006791847.tif 000008
【図８】
0006791847.tif 000009
【図９】
0006791847.tif 000010
【図１０】
0006791847.tif 000011
【図１１】
0006791847.tif 000012
【図１２】
0006791847.tif 000013
【図１３】
0006791847.tif 000014
【図１４】
0006791847.tif 000015
【図１５】
0006791847.tif 000016
【図１６】
0006791847.tif 000017
【図１７】
0006791847.tif 000018
【図１８】
0006791847.tif 000019
【図１９】
0006791847.tif 000020
【図２０】
0006791847.tif 000021
【図２１】
0006791847.tif 000022
【図２２】
0006791847.tif 000023
【図２３】
0006791847.tif 000024
【図２４】
0006791847.tif 000025